(57)【特許請求の範囲】
【請求項１】
情報記憶媒体であるディスク１と、ディスク１を収容したカートリッジケース２とを備え、ディスクドライブへ挿入される前記カートリッジケース２が、これの挿入方向側の側面壁５と、この側面壁５の片側に隣接する側面壁６（又は７）とが交わる隅角部を落とした角落とし部８を有する形に形成されているディスクカートリッジＣを収納対象としており、
前記ディスクカートリッジＣが出し入れ自在に収納される四角形状のケース本体１１と、ケース本体１１の内部に、前記ディスクカートリッジＣの角落とし部８に当接すべく設けられた規制リブ１７とを備えているディスクカートリッジ用収納ケース。
【請求項２】
情報記憶媒体であるディスク１と、ディスク１を収容したカートリッジケース２とを備え、ディスクドライブへ挿入される前記カートリッジケース２が、これの挿入方向側の側面壁５と、この側面壁６の両側に隣接する側面壁６・７とが交わる隅角部をそれぞれ落とした一対の角落とし部８・８を有する形に形成されているディスクカートリッジＣを収納対象としており、
前記ディスクカートリッジＣが出し入れ自在に収納される四角形状のケース本体１１と、ケース本体１１の内部に、前記ディスクカートリッジＣの一対の角落とし部８・８にそれぞれ当接すべく設けられた規制リブ１７とを備えているディスクカートリッジ用収納ケース。
【発明の詳細な説明】
【０００１】
【発明の属する技術分野】
本発明は、光磁気ディスクに代表されるディスクカートリッジを収納保管するための収納ケースに関する。
【０００２】
【従来の技術】
この種のディスクカートリッジは、情報信号を記録するためのディスク、このディスクを収容する本体ケース、および本体ケースに開口した信号読み書き窓を開閉するシャッターなどで構成される。そして、本体ケースは縦寸法と横寸法とをほぼ同一寸法にする四角形状に形成されていて、ディスクドライブへの挿入方向が判りにくく、これを判りやすくするために本体ケースの表面に矢印などの挿入方向指示マークを印刷や刻印などで施すことが一般的に行われている。
【０００３】
【発明が解決しようとする課題】
しかるに、ディスクドライブ、とくにポータブル型のディスクドライブ（ディスクプレイヤー）が小形で薄く軽量化されるに応じてディスクカートリッジも小型化されるが、これに伴い挿入方向指示マークも小さく表示せざるを得ずして見にくくなり、また印刷表示された挿入方向指示マークは使用に伴い他物との擦れなどにより薄く消えるため、ディスクドライブへの挿入方向が誤りやすくなるという問題があった。
【０００４】
そこで、かかる問題を解消するためにディスクカートリッジの外形として、図１に示すごとくディスクドライブへ挿入される先端側に角落とし部を有する形に形成することで、外観上、一見して挿入方向を判りやすくする形に形成することが考えられる。
しかしながら、こうした外形をもつディスクカートリッジは携帯や保管に際して四角形状の収納ケースに収納した場合、ディスクカートリッジが収納ケース内でがたつきやすくなり、がたつきに伴いディスクカートリッジの外表面を傷付けることがある。
【０００５】
本発明の目的は、このような問題を解消するためになされたものであり、ディスクドライブへの挿入方向が判りやすい外形をもつ上記ディスクカートリッジもがたつきなく収納できるディスクカートリッジ用収納ケースを提供することにある。
【０００６】
【課題を解決するための手段】
本発明の収納ケースは、図１に示すごとく情報記憶媒体であるディスク１と、ディスク１を収容したカートリッジケース２とを備え、ディスクドライブへ挿入される前記カートリッジケース２が、これの挿入方向側の側面壁５と、この側面壁５の片側に隣接する側面壁６（又は７）とが交わる隅角部を落とした角落とし部８を有する形に形成されているディスクカートリッジＣを収納対象とし、そのうえでディスクカートリッジＣが出し入れ自在に収納される四角形状のケース本体１１の内部に規制リブ１７を設け、ディスクカートリッジＣをケース本体１１に収納したときディスクカートリッジＣの角落とし部８に前記規制リブ１７が当接するようにしたものである。
【０００７】
上記ディスクカートリッジを角落とし部８を有する形に形成するに際し、ディスクドライブへの挿入方向側の側面壁の片側のみに角落とし部８を形成するに代えて、該側面壁５の両側に角落とし部８・８を形成し、収納ケースのケース本体１１の内部にはその両側の角落とし部８にそれぞれ当接する規制リブ１７を設けることもできる。
【０００８】
【作用】
ケース本体１１にディスクカートリッジＣを収納すると、ディスクカートリッジＣの角落とし部８に規制リブ１７が当接し、この当接作用によりディスクカートリッジＣがケース本体１１内でがたつくのを防止できる。
【０００９】
【発明の実施の形態】
本発明に係るディスクカートリッジ用収納ケースの一実施例を図面に基づき説明する。図１および図２において、ディスクカートリッジＣは、情報信号を記録する光磁気ディスクなどのディスク１をカートリッジケース２の内部に回転自在に収容しており、例えば、ミニディスクと俗称されるものである。
【００１０】
カートリッジケース２は、それぞれプラスチック成形された上ケース２ａと下ケース２ｂとを蓋合わせ状に接合してなり、その縦寸法Ｗと横寸法Ｗ′とがほぼ同一寸法の四角形状に形成してある。上下ケース２ａ・２ｂの左右一側部には、信号読み書き窓３を開口してあり、この窓３はカートリッジケース２に前後方向にスライド自在に装着したシャッター４で開閉できる。シャッター４は図外のばねで閉じ勝手に移動付勢されており、さらに閉じ位置においてロック機構でロック保持される。
【００１１】
このカートリッジケース２はディスクドライブへの挿入方向が外観上、一目瞭然に判るようにディスクドライブへの挿入方向側である前側面壁５と、この前側面壁５に隣接する左右側面壁６・７とが交わる隅角部を落とした凸円弧状の角落とし部８を有する前端円弧形状に形成される。
【００１２】
一方、上記ディスクカートリッジＣの収納ケースは、薄い四角形筒状で一側面に出入口１０を有するケース本体１１を形成してある。ケース本体１１は上面壁１２、下面壁１３、左右側面壁１４・１５、および後面壁１６とを有し、その前面に出入口１０を開口している。そしてケース本体１１の内部には、後面壁１６の左右両端寄り箇所からを前方へ延ばした規制リブ１７を設けている。
この収納ケースにはディスクカートリッジＣが角落とし部８を有する前側面壁５から挿入して収納されるが、これが完全に収納されたとき前記規制リブ１７の先端部１７ａがディスクカートリッジＣの角落とし部８に当接するように設定されている。
【００１３】
従って、ディスクカートリッジＣが、ディスクドライブへの挿入方向を明示するために角落とし部８を有する形に形成されていて、この角落とし部８を有する側から収納ケースのケース本体１１内に収納されてケース本体１１の内面と角落とし部８との間にがたつきの原因となる空隙が形成される場合も、角落とし部８に規制リブ１７が当接することにより、ディスクカートリッジＣがケース本体１１の内面に接触してがたがたと音をたてるようなことが無くなる。
【００１４】
上記実施例では、収納ケースのケース本体１１の内部に規制リブ１７が後面壁１６から前方へ突設されているが、図３のようにケース本体１１の左右側面壁１４・１５の内奥端寄りの箇所から左右横方向又は前方斜め方向に突設することもできる。
また上記実施例では、ディスクカートリッジＣが前側面壁５の両側に角落とし部８・８をもつ形状に形成されているが、これに代えて図４のように前側面壁５とこれの片側に隣接する左側面壁６又は右側面壁７とが交わる隅角部のみを落とした形に形成するものであってもディスクドライブへの挿入方向が判りやすくなり、かかる外形をもつディスクカートリッジＣの収納ケースにおいては、当然のことながら規制リブ１７はケース本体１１の内奥の片側のみに設けることで足りる。なお、角落とし部８は凸円弧状に形成するに代えて、図５のように斜線状に形成することもできる。
【００１５】
収納ケースのケース本体１１としては、上記実施例のように一側面に出入口１０を有する薄い四角形筒状やブックケース状に形成されるものに限られない。図６および図７のようにオーディオカセットの収納ケースとしてよく使用されている蓋付き形態のケース本体１１にも同様に適用できる。このケース本体１１は、四角形箱状の身１１ａに対し内面後部にポケット１９を有する蓋１１ｂを軸２０まわりに開閉回動自在に枢支連結してなり、そのポケット１９にディスクカートリッジＣをこれの角落とし部８を有する側から出し入れ可能に挿入するものとしてある。この場合はポケット１９の内奥に規制リブ１７が設けられる。
【００１６】
【発明の効果】
本発明によれば、角落とし部８を有するディスクカートリッジＣもがたつきなく収納することができて有利である。
【図面の簡単な説明】
【図１】収納ケースとディスクカートリッジの斜視図である。
【図２】収納ケースにディスクカートリッジを収納した状態で示す一部切欠断面図である。
【図３】他の実施例を図２に相応して示す一部切欠断面図である。
【図４】更に他の実施例を図２に相応して示す一部切欠断面図である。
【図５】更に又、他の実施例を図２に相応して示す一部切欠断面図である。
【図６】更に又、他の実施例を図１に相応して示す斜視図である。
【図７】図６の収納ケースにディスクカートリッジを収納した状態で示す断面図である。
【符号の説明】
１ ディスク
２  カートリッジケース
８ 角落とし部
１１  ケース本体
１７  規制リブ
Ｃ  ディスクカートリッジ
【図１】
0003723360.tif 000002
【図２】
0003723360.tif 000003
【図３】
0003723360.tif 000004
【図４】
0003723360.tif 000005
【図５】
0003723360.tif 000006
【図６】
0003723360.tif 000007
【図７】
0003723360.tif 000008